【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
バレル５８及びプランジャ封止材６０を有する薬剤容器５０と、
接合面１１０Ｃ及び駆動ラック１１０Ａを有するピストン１１０の一部分が少なくとも最初は駆動ハウジング１３０内に存在する、前記駆動ハウジング１３０と、
駆動ピニオン１２０と直接又は間接的に結合されたぜんまい１２２であって、前記駆動ピニオン１２０が前記ピストン１１０の駆動ラック１１０Ａと噛み合うことにより、前記ぜんまい１２２及び前記駆動ピニオン１２０の回転運動を変換し、前記駆動ラック１１０Ａを軸方向平行移動させる、前記ぜんまい１２２と、
レバー５６４とガンギ車５６２を有する脱進調整機構５００と、
を備える制御送達駆動機構１００であって、
前記ピストン１１０は、バレル５８内で前記プランジャ封止材６０に接触して前記プランジャ封止材６０を軸方向平行移動させるように構成されており、前記ピストン１１０が、制御された速度で軸方向平行移動するように、前記脱進調整機構５００が前記駆動ピニオン１２０を計量調節し、前記ピストン１１０を制御レートで軸方向平行移動させる、
制御送達駆動機構１００、１０００。
【請求項２】
前記薬剤容器５０は、制御された流量での薬剤送達の為に薬剤流体を薬剤チャンバ２１内に収容する、請求項１に記載の駆動機構１００、１０００。
【請求項３】
前記脱進調整機構５００は、前記ぜんまい１２２と、１つ以上の歯車５１２、５１４、５１６を有する歯車トレーン５１０と、回転シャフト５１８と、１つ以上の歯車５２０、５２２、５２４を有する歯車トランスミッション５５０と、に結合され、前記歯車トランスミッション５５０のうちの少なくとも１つの歯車５２０が前記駆動ピニオン１２０と係合することが可能であり、前記歯車トランスミッション５５０の少なくとも一つの前記歯車５２０が回転することによって、前記駆動ピニオン１２０が回転して前記ピストン１１０の前記駆動ラック１１０Ａと係合し、前記駆動ラック１１０Ａを軸方向平行移動させ、これによって、前記駆動ピニオン１２０の回転運動が前記駆動ラック１１０Ａの軸方向平行移動に変換される、請求項１から２のいずれか一項に記載の駆動機構１００、１０００。
【請求項４】
前記レバー５６４は、ピン５６４Ａ、Ｂ及びプロング５６４Ｃを有し、前記プロング５６４Ｃは、ポスト５６６Ａと可動に係合し、はずみ車５６６のインパルスピン５６６Ｂと取り外し可能に係合するように構成されており、前記はずみ車５６６は、ひげぜんまい５６８と係合し、前記ひげぜんまい５６８との組み合わせで、前記ポスト５６６Ａを中心として振動することが可能である、請求項１から３のいずれか一項に記載の駆動機構１００、１０００。
【請求項５】
前記ガンギ車５６２は、大径ガンギ歯車５６２Ａ及び小径歯車５６２Ｂの外周の周りにガンギ歯を有する複合歯車であって、前記歯車トレーン５１０と係合して、前記歯車トレーン５１０を計量調節するように構成されている、請求項４に記載の駆動機構１００、１０００。
【請求項６】
前記脱進調整機構５００による前記駆動ピニオン１２０及び／又は前記歯車トレーン５１０の計量調節により、ユーザへの薬剤送達の流量又は特性が制御される、請求項１から５のいずれか一項に記載の駆動機構１００、１０００。
【請求項７】
状態読み取り器６００が、対応する１つ以上の状態トリガを読み取るか認識するように構成されてよく、前記駆動機構１００の動作時には、前記状態読み取り器６００と前記状態トリガとの間の相互作用により、ユーザにフィードバックを提供する為の信号が電源／制御系４００に送信される、請求項１から６のいずれか一項に記載の駆動機構１００、１０００。
【請求項８】
前記状態読み取り器６００は光学式状態読み取り器であり、前記対応する状態トリガは駆動歯車５２０の歯車歯である、請求項７に記載の駆動機構１００、１０００。
【請求項９】
前記状態読み取り器６００は機械式状態読み取り器であり、前記対応する状態トリガは前記駆動歯車５２０の歯車歯である、請求項７に記載の駆動機構１００、１０００。
【請求項１０】
前記状態読み取り器６００は機械式状態読み取り器であり、前記対応する状態トリガは、前記ピストン１１０及び／又は前記駆動ラック１１０Ａの外形である、請求項７に記載の駆動機構１００、１０００。
【請求項１１】
前記状態読み取り器６００は光学式状態読み取り器であり、前記対応する状態トリガは、前記ピストン１１０及び／又は前記駆動ラック１１０Ａの外形である、請求項７に記載の駆動機構１００、１０００。
【請求項１２】
ハウジング１２及びアセンブリプラットフォーム２０を備え、制御送達機構１００を有する薬剤送達ポンプ１０であって、駆動機構１４の上に、挿入機構２００、流体経路接続部３００、電源／制御系４００、及び、請求項１から１１のいずれか一項に記載の制御送達駆動機構１００、１０００が取り付けられてよい、薬剤送達ポンプ１０。
【手続補正２】
【補正対象書類名】明細書
【補正対象項目名】００６３
【補正方法】変更
【補正の内容】
【００６３】
本明細書全体での意図は、本発明をいかなる１つの実施形態又は具体的な機能集合体にも限定することなく、本発明の好ましい実施形態を説明することであった。本発明から逸脱しない限り、説明及び図解された実施形態に対して、様々な変更及び修正が行われてよい。本明細書中で参照された特許文献、科学文献、コンピュータプログラム、及びアルゴリズムのそれぞれの開示は、参照によってその全体が組み込まれている。
〔付記１〕
バレル５８及びプランジャ封止材６０を有する薬剤容器５０と、接合面１１０Ｃ及び駆動ラック１１０Ａを有するピストン１１０の一部分が少なくとも最初は駆動ハウジング１３０内に存在する、前記駆動ハウジング１３０と、駆動ピニオン１２０と直接又は間接的に結合されたぜんまい１２２であって、前記駆動ピニオン１２０が前記ピストン１１０の駆動ラック１１０Ａと噛み合うことにより、前記ぜんまい１２２及び前記駆動ピニオン１２０の回転運動が前記駆動ラック１１０Ａの軸方向平行移動に変換される、前記ぜんまい１２２と、を備える制御送達駆動機構１００であって、前記ピストン１１０は、バレル５８内で前記プランジャ封止材６０に接触して前記プランジャ封止材６０を軸方向平行移動させるように構成されており、前記ピストン１１０が、制御された速度で軸方向平行移動するように、調整機構５００が前記駆動ピニオン１２０を計量調節する、制御送達駆動機構１００。
〔付記２〕
前記薬剤容器５０は、制御された流量での薬剤送達の為に薬剤流体を薬剤チャンバ２１内に収容する、請求項１に記載の駆動機構１００。
〔付記３〕
前記調整機構５００は、前記ぜんまい１２２と、１つ以上の歯車５１２、５１４、５１６を有する歯車トレーン５１０と、回転シャフト５１８と、１つ以上の歯車５２０、５２２、５２４を有する歯車トランスミッション５５０と、に結合された脱進調整機構５００であり、前記歯車トランスミッション５５０のうちの少なくとも１つの歯車５２０が前記駆動ピニオン１２０と係合することが可能であり、前記歯車５２０が回転することによって、前記駆動ピニオン１２０が回転して前記ピストン１１０の前記駆動ラック１１０Ａと係合し、前記駆動ラック１１０Ａを軸方向平行移動させ、これによって、前記駆動ピニオン１２０の回転運動が前記駆動ラック１１０Ａの軸方向平行移動に変換される、請求項１から２のいずれか一項に記載の駆動機構１００。
〔付記４〕
前記脱進調整素子５００は更に、前記歯車トレーン５１０と係合して前記歯車トレーン５１０の回転運動を計量調節するように構成されたレバー５６４及びガンギ車５６２を備える、請求項１から３のいずれか一項に記載の駆動機構１００。
〔付記５〕
前記レバー５６４は、ピン５６４Ａ、Ｂ及びプロング５６４Ｃを有し、前記プロング５６４Ｃは、ポスト５６６Ａと可動に係合し、はずみ車５６６のインパルスピン５６６Ｂと取り外し可能に係合するように構成されており、前記はずみ車５６６は、ひげぜんまい５６８と係合し、前記ひげぜんまい５６８との組み合わせで、ポスト５６６Ａを中心として振動することが可能である、請求項４に記載の駆動機構１００。
〔付記６〕
前記ガンギ車５６２は、大径ガンギ歯車５６２Ａ及び小径歯車５６２Ｂの外周の周りにガンギ歯を有する複合歯車であって、前記歯車トレーン５１０と係合して、前記歯車トレーン５１０を計量調節するように構成されている、請求項４から５のいずれか一項に記載の駆動機構１００。
〔付記７〕
脱進調整機構による前記駆動ピニオン１２０及び／又は前記歯車トレーン５１０の計量調節により、ユーザへの薬剤送達の流量又は特性が制御される、請求項１から６のいずれか一項に記載の駆動機構１００。
〔付記８〕
状態読み取り器６００が、対応する１つ以上の状態トリガを読み取るか認識するように構成されてよく、前記駆動機構１００の動作時には、前記状態読み取り器６００と前記状態トリガとの間の相互作用により、ユーザにフィードバックを提供する為の信号が電源／制御系４００に送信される、請求項１から７のいずれか一項に記載の駆動機構１００。
〔付記９〕
前記状態読み取り器６００は光学式状態読み取り器であり、前記対応する状態トリガは駆動歯車５２０の歯車歯である、請求項８に記載の駆動機構１００。
〔付記１０〕
前記状態読み取り器６００は機械式状態読み取り器であり、前記対応する状態トリガは前記駆動歯車５２０の歯車歯である、請求項８に記載の駆動機構１００。
〔付記１１〕
前記状態読み取り器６００は機械式状態読み取り器であり、前記対応する状態トリガは、前記ピストン１１０及び／又は前記駆動ラック１１０Ａの外形である、請求項８に記載の駆動機構１００。
〔付記１２〕
前記状態読み取り器６００は光学式状態読み取り器であり、前記対応する状態トリガは、前記ピストン１１０及び／又は前記駆動ラック１１０Ａの外形である、請求項８に記載の駆動機構１００。
〔付記１３〕
バレル５８及びプランジャ封止材６０を有する薬剤容器５０と、直線状ぜんまい１１２２、並びに接合面１１０Ｃ及び駆動ラック１１０Ａを有するピストン１１０の一部分が少なくとも最初は駆動ハウジング１３０内に存在する、前記駆動ハウジング１３０であって、前記直線状ぜんまい１１２２が、前記ピストン１１０と直接又は間接的に結合されて、前記直線状ぜんまい１１２２の軸方向の力が駆動ピニオン１２０及び調整機構５００のトーション運動に変換される、前記駆動ハウジング１３０と、を備える制御送達駆動機構１０００であって、前記ピストン１１０は、バレル５８内で前記プランジャ封止材６０に接触して前記プランジャ封止材を軸方向平行移動させるように構成されており、前記直線状ぜんまい１１２２が前記ピストン１１０を制御された速度で軸方向平行移動させるように、前記調整機構５００が前記駆動ピニオン１２０を計量調節する、駆動機構１０００。
〔付記１４〕
前記薬剤容器５０は、制御された流量での薬剤送達の為に薬剤流体を薬剤チャンバ２１内に収容する、請求項１３に記載の駆動機構１０００。
〔付記１５〕
前記調整機構５００は、１つ以上の歯車５１２、５１４、５１６を有する歯車トレーン５１０と、回転シャフト５１８と、１つ以上の歯車５２０、５２２、５２４を有する歯車トランスミッション５５０と、を有する脱進調整機構５００であり、前記歯車トランスミッション５５０のうちの少なくとも１つの歯車５２０が前記駆動ピニオン１２０と係合することが可能であり、前記脱進調整要素５００は、前記直線状ぜんまい１１２２に作用するように構成されている、請求項１３から１４のいずれか一項に記載の駆動機構１０００。
〔付記１６〕
前記脱進調整素子５００は更に、前記歯車トレーン５１０と係合して前記歯車トレーン５１０の回転運動を計量調節するように構成されたレバー５６４及びガンギ車５６２を備える、請求項１３から１５のいずれか一項に記載の駆動機構１０００。
〔付記１７〕
前記レバー５６４は、ピン５６４Ａ、Ｂ及びプロング５６４Ｃを有し、前記プロング５６４Ｃは、ポスト５６６Ａと可動に係合し、はずみ車５６６のインパルスピン５６６Ｂと取り外し可能に係合するように構成されており、前記はずみ車５６６は、ひげぜんまい５６８と係合し、前記ひげぜんまい５６８との組み合わせで、ポスト５６６Ａを中心として振動することが可能である、請求項１６に記載の駆動機構１０００。
〔付記１８〕
前記ガンギ車５６２は、大径ガンギ歯車５６２Ａ及び小径歯車５６２Ｂの外周の周りにガンギ歯を有する複合歯車であって、前記歯車トレーン５１０と係合して、前記歯車トレーン５１０を計量調節するように構成されている、請求項１６から１７のいずれか一項に記載の駆動機構１０００。
〔付記１９〕
脱進調整機構による前記駆動ピニオン１２０及び／又は前記歯車トレーン５１０の計量調節により、ユーザへの薬剤送達の流量又は特性が制御される、請求項１３から１８のいずれか一項に記載の駆動機構１０００。
〔付記２０〕
状態読み取り器６００が、対応する１つ以上の状態トリガを読み取るか認識するように構成されてよく、前記駆動機構１００の動作時には、前記状態読み取り器６００と前記状態トリガとの間の相互作用により、ユーザにフィードバックを提供する為の信号が電源／制御系４００に送信される、請求項１３から１９のいずれか一項に記載の駆動機構１０００。
〔付記２１〕
前記状態読み取り器６００は光学式状態読み取り器であり、前記対応する状態トリガは駆動歯車５２０の歯車歯である、請求項２０に記載の駆動機構１０００。
〔付記２２〕
前記状態読み取り器６００は機械式状態読み取り器であり、前記対応する状態トリガは前記駆動歯車５２０の歯車歯である、請求項２０に記載の駆動機構１０００。
〔付記２３〕
前記状態読み取り器６００は機械式状態読み取り器であり、前記対応する状態トリガは、前記ピストン１１０及び／又は前記駆動ラック１１０Ａの外形である、請求項２０に記載の駆動機構１０００。
〔付記２４〕
前記状態読み取り器６００は光学式状態読み取り器であり、前記対応する状態トリガは、前記ピストン１１０及び／又は前記駆動ラック１１０Ａの外形である、請求項２０に記載の駆動機構１０００。
〔付記２５〕
ハウジング１２及びアセンブリプラットフォーム２０を備え、制御送達機構１００を有する薬剤送達ポンプ１０であって、前記アセンブリプラットフォーム２０上には、駆動機構１４、挿入機構２００、流体経路接続部３００、電源／制御系４００、及び、請求項１に記載の制御送達駆動機構１００又は請求項１３に記載の制御送達駆動機構１０００が取り付けられてよい、薬剤送達ポンプ１０。
〔付記２６〕
前記薬剤容器５０は、制御された流量での薬剤送達の為に薬剤流体を薬剤チャンバ２１内に収容する、請求項２５に記載の薬剤送達ポンプ１０。
〔付記２７〕
前記調整機構５００は、前記ぜんまい１２２と、１つ以上の歯車５１２、５１４、５１６を有する歯車トレーン５１０と、回転シャフト５１８と、１つ以上の歯車５２０、５２２、５２４を有する歯車トランスミッション５５０と、を有する脱進調整機構５００であり、前記歯車トランスミッション５５０のうちの少なくとも１つの歯車５２０が前記駆動ピニオン１２０と係合することが可能であり、前記歯車５２０が回転することによって、前記駆動ピニオン１２０が回転して前記ピストン１１０の前記駆動ラック１１０Ａと係合し、前記駆動ラック１１０Ａを軸方向平行移動させ、これによって、前記駆動ピニオン１２０の回転運動が前記駆動ラック１１０Ａの軸方向平行移動に変換される、請求項２５から２６のいずれか一項に記載の薬剤送達ポンプ１０。
〔付記２８〕
前記脱進調整素子５００は更に、前記歯車トレーン５１０と係合して前記歯車トレーン５１０の回転運動を計量調節するように構成されたレバー５６４及びガンギ車５６２を備える、請求項２６から２７のいずれか一項に記載の薬剤送達ポンプ１０。
〔付記２９〕
前記レバー５６４は、ピン５６４Ａ、Ｂ及びプロング５６４Ｃを有し、前記プロング５６４Ｃは、ポスト５６６Ａと可動に係合し、はずみ車５６６のインパルスピン５６６Ｂと取り外し可能に係合するように構成されており、前記はずみ車５６６は、ひげぜんまい５６８と係合し、前記ひげぜんまい５６８との組み合わせで、ポスト５６６Ａを中心として振動することが可能である、請求項２８に記載の薬剤送達ポンプ１０。
〔付記３０〕
前記ガンギ車５６２は、大径ガンギ歯車５６２Ａ及び小径歯車５６２Ｂの外周の周りにガンギ歯を有する複合歯車であって、前記歯車トレーン５１０と係合して、前記歯車トレーン５１０を計量調節するように構成されている、請求項２８から２９のいずれか一項に記載の薬剤送達ポンプ１０。
〔付記３１〕
脱進調整機構による前記駆動ピニオン１２０及び／又は前記歯車トレーン５１０の計量調節により、ユーザへの薬剤送達の流量又は特性が制御される、請求項２５から３０のいずれか一項に記載の薬剤送達ポンプ１０。
〔付記３２〕
状態読み取り器６００が、対応する１つ以上の状態トリガを読み取るか認識するように構成されてよく、前記駆動機構１００の動作時には、前記状態読み取り器６００と前記状態トリガとの間の相互作用により、ユーザにフィードバックを提供する為の信号が電源／制御系４００に送信される、請求項２５から３１のいずれか一項に記載の薬剤送達ポンプ１０。
〔付記３３〕
前記状態読み取り器６００は光学式状態読み取り器であり、前記対応する状態トリガは駆動歯車５２０の歯車歯である、請求項３２に記載の薬剤送達ポンプ１０。
〔付記３４〕
前記状態読み取り器６００は機械式状態読み取り器であり、前記対応する状態トリガは前記駆動歯車５２０の歯車歯である、請求項３２に記載の薬剤送達ポンプ１０。
〔付記３５〕
前記状態読み取り器６００は機械式状態読み取り器であり、前記対応する状態トリガは、前記ピストン１１０及び／又は前記駆動ラック１１０Ａの外形である、請求項３２に記載の薬剤送達ポンプ１０。
〔付記３６〕
前記状態読み取り器６００は光学式状態読み取り器であり、前記対応する状態トリガは、前記ピストン１１０及び／又は前記駆動ラック１１０Ａの外形である、請求項３２に記載の薬剤送達ポンプ１０。